(57)【要約】【課題】土嚢の製造工程においては、人力でスコップ等を用いて行ったり土嚢製造装置で製造する場合でも土嚢袋を１枚毎に開閉するのは人手によるものである。又、土嚢製造専用機は電気等何らかの動力を用いることが多いその為に構造的に複雑となり実現場においてはメンテナンスの難しさがあり作職者の高度な機械的知識と操作技能が求められる。従って、各種の工事現場において土嚢は土止め、築堤の材料として日常的に広く用いられているが人力での製造、施工が一般的である。【解決手段】この発明は、これら上記の課題を解決する方法として軽便化を図り実現場での取り扱いを簡素にし、設置、移動、日常の点検、整備を容易にすることに重点をおいた。又、袋材を一連状にしロールで供給することで人力での袋の開閉を省略し生産性が向上する。【選択図】図１
2004019434.tif 000002
【特許請求の範囲】
【請求項１】
袋材の縦方向両端と横方向の所定の位置に面ファスナーを取り付一体化させた袋材（５）をロール状にし、計量バケット（３）によって一定量の土砂等の材料を供給し、その加重で降下するとき途中に設置した圧着ローラー（６）、（７）によって面ファスナーを圧着し、袋整形した土嚢を連続して製造する装置。
【請求項２】
一定量の材料を回転して供給する計量バケット（３）。
【請求項３】
面ファスナーを取り付けた袋材（５）。
【発明の詳細な説明】
【０００１】
【発明の属する技術分野】
この発明は袋材をロール状にし、簡素な構造で連続して土嚢を製造する士嚢製造装置に関するものである。
【０００２】
【従来の技術】
従来の土嚢製造装置は袋を一枚ごとに人手によって装着するものである。
【０００３】
【発明が解決しょうとする課題】
防災および災害復旧等の現場では土嚢は主役の存在である。従って現地で短時間に多量に必要とする場合、従来の方法では対応が困難な課題を有する。
【０００４】
【課題を解決する為の手段】
この発明は上記の課題に対処してなされたもので、請求項第１記載の発明は土嚢製造装置の基本構成であり、袋材をロール状にして供給することで一連の工程を連続して行うことができ、多量の需要に対応するものである。
又、請求項第２記載の計量バケットの効果によって土嚢の重量、形状のばらつきを少なくし工事での施工性を高めるものである。
【０００５】
【実施例】
この発明の実施例について図面１、図面２、図面３によって説明する。材料保留ホッパー（１）に材料を投入し、計量バケット（３）で一定量を確保した後、ハンドル（１０）によって反転させ材料投入ホッパー（２）を通して、ロール（４）から供給した袋材（５）に落とし入れると材料の加重で袋は降下する。そのとき途中に取り付けた縦圧着ローラー（６）で袋材両端の面ファスナー（９）が閉じる。袋が接地すると横圧着ローラー（７）を操作棒で押し込み、所定の位置に付けた面ファスナーを閉じる。この面ファスナーは袋の上下を同時に閉じるように一定の幅を持たせてある。横圧着ローラーの後部に取り付けたカッター（１４）によって面ファスナーの中央部分で切断分割される。
【０００６】
【発明の効果】
本発明はあらゆる工事現場で簡単に設置でき、電力等の動力を使わなくとも安全に多量の土嚢を製造できる。
工場での土嚢の生産では、電力等の動力を用いることで一連の工程を全自動化できるものである。
【図面の簡単な説明】
【図１】土嚢製造装置の全体図である。
【図２】材料保留ホッパーから計量バケットに材料を入れた図である。
【図３】計量バケットから袋材へ材料を落とし入れる過程の図である。
【図４】縦圧着ローラーの平面図である。
【図５】横圧着ローラーの平面図である。
【図６】横圧着ローラーの側面図である。
【図７】面ファスナーを取り付けた袋材の長手方向の図である。
【図８】面ファスナーを取り付けた袋材の圧着部分の断面図である。
【符号の説明】
１　　材料保留ホッパー
２　　材料投入ホッパー
３　　計量バケット
４　　ロール
５　　袋材
６　　縦圧着ローラー
７　　横圧着ローラー
８　　横ローラー操作棒
９　　面ファスナー
１０　ハンドル
１１　完成品
１２　パッキン
１３　材料
１４　カッター
１５　回転台
１６　ピン
１７　支柱
１８　土台
１９　ボルト
２０　調整ナット
２１　ねじ穴
２２　シャフト
【図１】
2004019434.tif 000003
【図２】
2004019434.tif 000004
【図３】
2004019434.tif 000005
【図４】
2004019434.tif 000006
【図５】
2004019434.tif 000007
【図６】
2004019434.tif 000008
【図７】
2004019434.tif 000009
【図８】
2004019434.tif 000010
【手続補正書】
【提出日】平成14年9月6日(2002.9.6)
【手続補正２】
【補正対象書類名】明細書
【補正対象項目名】全文
【補正方法】変更
【補正の内容】
【発明の詳細な説明】
【特許請求の範囲】
【請求項１】袋材の縦方向両端と横方向の所定の位置に面ファスナーを取り付一体化させた袋材（５）をロール状にし、計量バケット（３）によって一定量の土砂等の材料を供給し、その加重で降下するとき途中に設置した圧着ローラー（６）、（７）によって面ファスナーを圧着し、袋整形した土嚢を連続して製造する装置。
【請求項２】一定量の材料を回転して供給する計量バケット（３）。
【請求項３】面ファスナーを取り付けた袋材（５）。
【発明の詳細な説明】
【０００１】
【発明の属する技術分野】
この発明は袋材をロール状にし、簡素な構造で連続して土嚢を製造する土嚢製造装置に関するものである。
【０００２】
【従来の技術】
従来の土嚢製造装置は袋を一枚ごとに人手によって装着するものである。
【０００３】
【発明が解決しょうとする課題】
防災および災害復旧等の現場では土嚢は主役の存在である。従って現地で短時間に多量に必要とする場合、従来の方法では対応が困難な課題を有する。
【０００４】
【課題を解決する為の手段】
この発明は上記の課題に対処してなされたもので、請求項第１記載の発明は土嚢製造装置の基本構成であり、袋材をロール状にして供給することで一連の工程を連続して行うことができ、多量の需要に対応するものである。
又、請求項第２記載の計量バケットの効果によって土嚢の重量、形状のばらつきを少なくし工事での施工性を高めるものである。
【０００５】
【実施例】
この発明の実施例について図面１、図面２、図面３によって説明する。材料保留ホッパー（１）に材料を投入し、計量バケット（３）で一定量を確保した後、ハンドル（１０）によって反転させ材料投入ホッパー（２）を通して、ロール（４）から供給した袋材（５）に落とし入れると材料の加重で袋は降下する。そのとき途中に取り付けた縦圧着ローラー（６）で袋材両端の面ファスナー（９）が閉じる。
袋が接地すると横圧着ローラー（７）を操作棒で押し込み、所定の位置に付けた面ファスナーを閉じる。この面ファスナーは袋の上下を同時に閉じるように一定の幅を持たせてある。横圧着ローラーの後部に取り付けたカッター（１４）によって面ファスナーの中央部分で切断分割される。
【０００６】
【発明の効果】
本発明はあらゆる工事現場で簡単に設置でき、電力等の動力を使わなくとも安全に多量の土嚢を製造できる。
工場での土嚢の生産では、電力等の動力を用いることで一連の工程を全自動化できるものである。
【図面の簡単な説明】
【図１】土嚢製造装置の全体図である。
【図２】材料保留ホッパーから計量バケットに材料を入れた図である。
【図３】計量バケットから袋材へ材料を落とし入れる過程の図である。
【図４】縦圧着ローラーの平面図である。
【図５】横圧着ローラーの平面図である。
【図６】横圧着ローラーの側面図である。
【図７】面ファスナーを取り付けた袋材の長手方向の図である。
【図８】面ファスナーを取り付けた袋材の圧着部分の断面図である。
【符号の説明】
１　材料保留ホッパー
２　材料投入ホッパー
３　計量バケット
４　ロール
５　袋材
６　縦圧着ローラー
７　横圧着ローラー
８　横ローラー操作棒
９　面ファスナー
１０　ハンドル
１１　完成品
１２　パッキン
１３　材料
１４　カッター
１５　回転台
１６　ピン
１７　支柱
１８　土台
１９　ボルト
２０　調整ナット
２１　ねじ穴
２２　シャフト